(57)【要約】      （修正有）【課題】ファインダにブラケット撮影時の設定情報を表示する場合、アイコンの数で連続撮影枚数を表す画面表示を行う場合、設定済みの連続撮影枚数に応じた数のアイコンを予め決められたエリアに表示する。【解決手段】設定されたブラケット撮影条件を示すアイコンの表示において、設定済みの連続撮影枚数に応じた数のアイコンを予め決められたエリアに表示するために、前記連続撮影枚数に応じてアイコンの表示サイズを変化させる事により連続撮影枚数分の数のアイコンを画面上に表示し撮影者に提示する。具体的には表示エリアサイズと表示アイコンの数からアイコンサイズを算出し表示する。また各種表示用アイコンはベクタ情報として保持し、アイコンの数から算出される表示サイズに応じたビットマップ描画を行うことにより複数種類のアイコンデータを持たずに実現できる。【選択図】図７
2006135392.tif 000002
【特許請求の範囲】
【請求項１】
撮像した静止画像及び或いは動画像を記録媒体に記録する撮像装置であって、
撮像手段と、記録手段と、制御手段と、入力手段と、表示手段とを有し、
前記撮像装置はあらかじめ設定された露出補正量及び連続撮像枚数により、自動的に露出補正量を変化させながら設定された枚数の撮影を行うブラケット撮影機能を具備し、
前記制御手段は、
前記入力手段において設定された連続撮影枚数を前記表示手段に表示する第１の表示制御手段と、前記連続撮影枚数に応じて前記表示手段に表示する設定値の表示サイズを決定する表示サイズ決定手段と、
前記表示サイズ決定手段において求められたサイズに前記第１の表示制御手段で表示されている連続撮影枚数を示す表示サイズを変更して表示する第２の表示手段とを具備したことを特徴とする撮像装置。
【発明の詳細な説明】
【技術分野】
【０００１】
本発明は、画像の表示装置、静止画像や動画像を撮像、記録する撮像装置及び制御方法に関する。
【背景技術】
【０００２】
従来、固体メモリ素子を有するメモリカードを記録媒体として、静止画像や動画像を記録再生する電子カメラ等の画像処理装置は既に市販されており、カラー液晶パネル等の電子ファインダを備える電子カメラも販売されている。
【０００３】
またこれらの電子カメラにおいて絞りやシャッター速度に代表されるマニュアル撮影設定機能も豊富に搭載されおり、目的に応じた撮影が行えるようになっている。特にあらかじめ設定された露出補正量及び連続撮像枚数により、自動的に露出補正量を変化させながら設定された枚数の撮影を行うブラケット撮影機能を備えたものが存在する。
【０００４】
これらの電子カメラによれば、ブラケット撮影時には利用者が設定した露出補正量の変化量と連続撮影枚数が何らかの形式で表示され、利用者にどのようなブラケット撮影を行おうとしているかを通知するようなＧＵＩが備わっているのが一般的である。
【特許文献１】特開平１０−１６１８３７号公報
【発明の開示】
【発明が解決しようとする課題】
【０００５】
ＬＣＤなどの表示装置に対し、設定済みの撮影条件を示すアイコン表示を行う場合、表示項目数の増加に伴い、アイコンの表示サイズを大きくできない。
【０００６】
従来前記ブラケット撮影時の設定情報を表示する場合、アイコンの数で連続撮影枚数を表すといった画面表示を行いたいと思っても、用意されているアイコンのサイズがそれほど何種類もないため、連続撮影枚数分並べられない場合があった。
【０００７】
本発明は上記問題を鑑み、設定されたブラケット撮影条件を示すアイコンの表示において、前記設定済みの連続撮影枚数に応じた数のアイコンをあらかじめ決められたエリアに表示するために、前記連続撮影枚数に応じてアイコンの表示サイズを変化させることにより連続撮影枚数分の数のアイコンを画面上に表示し撮影者に提示する。具体的には表示エリアのサイズと表示したいアイコンの数からアイコンサイズを算出し表示するようにし、また各種表示用アイコンはベクタ情報として保持し、アイコンの数から算出される表示サイズに応じたビットマップ描画を行うことにより複数種類のアイコンデータを持たずに実現できる撮像装置の提供を目的としている。
【課題を解決するための手段】
【０００８】
上記課題を解決するため、本発明は以下（１）の構成を備えるものである。
【０００９】
（１）撮像した静止画像及び或いは動画像を記録媒体に記録する撮像装置であって、撮像手段と、記録手段と、制御手段と、入力手段と、表示手段とを有し、前記撮像装置はあらかじめ設定された露出補正量及び連続撮像枚数により、自動的に露出補正量を変化させながら設定された枚数の撮影を行うブラケット撮影機能を具備し、前記制御手段は、前記入力手段において設定された連続撮影枚数を前記表示手段に表示する第１の表示制御手段と、前記連続撮影枚数に応じて前記表示手段に表示する設定値の表示サイズを決定する表示サイズ決定手段と、前記表示サイズ決定手段において求められたサイズに前記第１の表示制御手段で表示されている連続撮影枚数を示す表示サイズを変更して表示する第２の表示手段とを具備した撮像装置。
【発明の効果】
【００１０】
本発明によれば設定されたブラケット撮影条件を示すアイコンの表示において、前記設定済みの連続撮影枚数に応じた数のアイコンをあらかじめ決められたエリアに表示するために、前記連続撮影枚数に応じてアイコンの表示サイズを変化させることにより連続撮影枚数分の数のアイコンを画面上に表示し撮影者に提示する。具体的には表示エリアのサイズと表示したいアイコンの数からアイコンサイズを算出し表示することで利用者に正確な連続撮影枚数をわかりやすく提示することが可能となる。
【発明を実施するための最良の形態】
【００１１】
以下に、本発明を実施するための最良の形態を、実施例に基づいて説明する。
【実施例】
【００１２】
（第１の実施例）
以下、図面を参照して本発明の実施例を説明する。
【００１３】
図１は、本発明の実施例の構成を示す図である。
【００１４】
図１において、１００は画像処理装置である。
【００１５】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１６】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１７】
２０は画像処理回路であり、Ａ／Ｄ変換器１６からのデータ或いはメモリ制御回路２２からのデータに対して所定の画素補間処理や色変換処理を行う。
【００１８】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１９】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２０】
２２はメモリ制御回路であり、Ａ／Ｄ変換器１６、タイミング発生回路１８、画像処理回路２０、画像表示メモリ２４、Ｄ／Ａ変換器２６、メモリ３０、画像圧縮・伸長回路３２を制御する。
【００２１】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２２】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２３】
画像表示部２８を用いて撮像した画像データを逐次表示すれば、電子ファインダ機能を実現することが可能である。
【００２４】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２５】
３０は撮影した静止画像や動画像を格納するためのメモリであり、所定枚数の静止画像や所定時間の動画像を格納するのに十分な記憶量を備えている。
【００２６】
これにより、複数枚の静止画像を連続して撮影する連射撮影やパノラマ撮影の場合にも、高速かつ大量の画像書き込みをメモリ３０に対して行うことが可能となる。
【００２７】
また、メモリ３０はシステム制御回路５０の作業領域としても使用することが可能である。
【００２８】
３２は適応離散コサイン変換（ＡＤＣＴ）等により画像データを圧縮伸長する画像圧縮・伸長回路であり、メモリ３０に格納された画像を読み込んで圧縮処理或いは伸長処理を行い、処理を終えたデータをメモリ３０に書き込む。
【００２９】
４０は絞り機能を備えるシャッター１２を制御する露光制御手段であり、フラッシュ４８と連携することによりフラッシュ調光機能も有するものである。
【００３０】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３１】
４８はフラッシュであり、ＡＦ補助光の投光機能、フラッシュ調光機能も有する。
【００３２】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３３】
５０は画像処理装置１００全体を制御するシステム制御回路、５２はシステム制御回路５０の動作用の定数、変数、プログラム等を記憶するメモリである。
【００３４】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３５】
また、表示部５４は、その一部の機能が光学ファインダ１０４内に設置されている。
【００３６】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、等がある。
【００３７】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００３８】
５６は電気的に消去・記録可能な不揮発性メモリであり、例えばＥＥＰＲＯＭ等が用いられる。
【００３９】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４０】
ここで、これらの操作手段の具体的な説明を行う。
【００４１】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４２】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４３】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、画像圧縮・伸長回路３２で圧縮を行い、記録媒体２００或いは２１０に画像データを書き込む記録処理という一連の処理の動作開始を指示する。
【００４４】
６６は画像表示ＯＮ／ＯＦＦスイッチで、画像表示部２８のＯＮ／ＯＦＦを設定することが出来る。
【００４５】
この機能により、光学ファインダ１０４を用いて撮影を行う際に、ＴＦＴ  ＬＣＤ等から成る画像表示部への電流供給を遮断することにより、省電力を図ることが可能となる。
【００４６】
６８はクイックレビューＯＮ／ＯＦＦスイッチで、撮影直後に撮影した画像データを自動再生するクイックレビュー機能を設定する。なお、本実施例では特に、画像表示部２８をＯＦＦとした場合におけるクイックレビュー機能の設定をする機能を備えるものとする。
【００４７】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、ホワイトバランス選択ボタン等がある。
【００４８】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４９】
８２、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５０】
９０及び９４はメモリカードやハードディスク等の記録媒体２００，２１０とのインタフェース、９２及び９６はメモリカードやハードディスク等の記録媒体２００，２１０と接続を行うコネクタ、９８はコネクタ９２及び或いは９６に記録媒体２００或いは２１０が装着されているか否かを検知する記録媒体着脱検知手段である。
【００５１】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００５２】
インタフェース及びコネクタとしては、ＰＣＭＣＩＡカードやＣＦ（コンパクトフラッシュ（登録商標））カード等の規格に準拠したものを用いて構成して構わない。
【００５３】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５４】
１０２は、画像処理装置１００のレンズ１０を含む撮像部を覆う事により、撮像部の汚れや破損を防止するバリアである保護手段である。
【００５５】
１０４は光学ファインダであり、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００５６】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５７】
１１２は通信手段１１０により画像処理装置１００を他の機器と接続するコネクタ或いは無線通信の場合はアンテナである。
【００５８】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００５９】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００６０】
図２乃至図３を参照して、第１の実施例の動作を説明する。
【００６１】
図２及び図３は本実施例の画像処理装置１００の主ルーチンのフローチャートを示す。図２及び図３を用いて、画像処理装置１００の動作を説明する。
【００６２】
電池交換等の電源投入により、システム制御回路５０はフラグや制御変数等を初期化し（Ｓ１０１）、画像表示部２８の画像表示をＯＦＦ状態に初期設定する（Ｓ１０２）。
【００６３】
システム制御回路５０は、モードダイアル６０の設定位置を判断し、Ｓ１０３でモードダイアル６０が電源ＯＦＦに設定されていたならば、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０５）、Ｓ１０３に戻る。
【００６４】
Ｓ１０３でモードダイアル６０が撮影モードに設定されていたならば、Ｓ１０６に進む。
【００６５】
Ｓ１０３でモードダイアル６０がその他のモードに設定されていたならば、システム制御回路５０は選択されたモードに応じた処理を実行し（Ｓ１０４）、処理を終えたならばＳ１０３に戻る。
【００６６】
システム制御回路５０は、電源制御手段８０により電池等により構成される電源８６の残容量や動作情況が画像処理装置１００の動作に問題があるか否かを判断し（Ｓ１０６）、問題があるならばＳ１５０で表示部５４を用いて画像や音声により所定の警告表示を行った後に、Ｓ１０３に戻る。
【００６７】
電源８６に問題が無いならば（Ｓ１０６）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば表示部５４を用いて画像や音声により所定の警告表示を行った後に（Ｓ１０８）、Ｓ１０３に戻る。
【００６８】
記録媒体２００或いは２１０の動作状態に問題が無いならば（Ｓ１０７）、表示部５４を用いて画像や音声により画像処理装置１００の各種設定状態の表示を行う（Ｓ１０９）。なお、画像表示部２８の画像表示がＯＮであったならば、画像表示部２８も用いて画像や音声により画像処理装置１００の各種設定状態の表示を行う。
【００６９】
システム制御回路５０は、クイックレビューＯＮ／ＯＦＦスイッチ６８の設定状態を調べ（Ｓ１１０）、クイックレビューＯＮに設定されていたならばクイックレビューフラグを設定し、（Ｓ１１１）、クイックレビューＯＦＦに設定されていたならばクイックレビューフラグを解除する（Ｓ１１２）。
【００７０】
なお、クイックレビューフラグの状態は、システム制御回路５０の内部メモリ或いはメモリ５２に記憶する。
【００７１】
続いて、システム制御回路５０は、画像表示ＯＮ／ＯＦＦスイッチ６６の設定状態を調べ（Ｓ１１３）、画像表示ＯＮに設定されていたならば、画像表示フラグを設定する（Ｓ１１４）と共に、画像表示部２８の画像表示をＯＮ状態に設定し（Ｓ１１５）、さらに撮像した画像データを逐次表示するスルー表示状態に設定して（Ｓ１１６）、図３のＳ１１９に進む。
【００７２】
スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダ機能を実現している。
【００７３】
Ｓ１１３で画像表示ＯＮ／ＯＦＦスイッチ６６が画像表示ＯＦＦに設定されていたならば、画像表示フラグを解除する（Ｓ１１７）と共に、画像表示部２８の画像表示をＯＦＦ状態に設定して（Ｓ１１８）、Ｓ１１９に進む。
【００７４】
画像表示ＯＦＦの場合は、画像表示部２８による電子ファインダ機能を使用せず、光学ファインダ１０４を用いて撮影を行う。この場合、電力消費量の大きい画像表示部２８やＤ／Ａ変換器２６等の消費電力を削減することが可能となる。
【００７５】
なお、画像表示フラグの状態は、システム制御回路５０の内部メモリ或いはメモリ５２に記憶する。
【００７６】
ここで、ブラケット撮影時に利用者が設定した連続撮影枚数をどのように表示するかについて、図６を用いて説明する。
【００７７】
まず、利用者は操作部７０のメニューボタンによりメニューを表示し、メニュー移動ボタン、セットボタン等を使ってブラケット撮影モードを選択する。そうすると露出変化量、連続撮影枚数等、条件の設定に関するメニューが表示されるので、そこでさらに、メニュー移動ボタン、セットボタンを利用して前記条件の設定を行う。
【００７８】
設定が完了すると、まずデフォルトの描画位置をラスタライザに対し設定し（Ｓ６０１）、利用者の設定した連続撮影枚数からアイコンの拡大率を算出し（Ｓ６０２）、アイコンサイズをラスタライザに対し設定する（Ｓ６０３）。また描画対象となるアイコンをブラケット枚数表示ＩＤとしてラスタライザに対し設定する（Ｓ６０４）。そしてラスタライズを行い（Ｓ６０５）、ブラケット撮影枚数分のアイコンを表示したかをチェックする（Ｓ６０６）。まだ全て表示していない場合は描画する座標を右下方向に少しだけずらし（Ｓ６０７）、ラスタライズ処理に戻る（Ｓ６０５）。枚数分表示していれば表示処理は終了である（Ｓ６０８）。
【００７９】
次にラスタライザの処理を図４を用いて説明する。ラスタライザは処理を開始すると（Ｓ４００）、前記プリセットデータとして、アイコンＩＤ、描画サイズ、デフォルト座標値を取得する（Ｓ４０１）。前記デフォルト座標値と描画サイズとからラスタライザで描画を行う描画位置を算出する（Ｓ４０２）。続いて前記プリセット済みのアイコンＩＤからベクトルデータを前記データ格納メモリ５２からラスタライズ処理を行うためにメモリ３０にロードする（Ｓ４０３）。前記ロードされたベクトルデータを用いてラスタライズ処理を行い（Ｓ４０４）、ビットマップデータを前記算出済みの描画位置から導かれる画像表示メモリ２４内のアドレスに対し出力する（Ｓ４０５）。ラスタライザを終了する（Ｓ４０６）。
【００８０】
上記ブラケット撮影枚数表示の画面構成例を図７に示す。（ａ）は連続撮影枚数が３枚の場合、（ｂ）は連続撮影枚数が５枚の場合である。
【００８１】
利用者の設定した連続撮影枚数に応じてブラケット枚数表示アイコンをラスタライザを用いて画像表示メモリ２４に出力する。画像表示メモリ２４に出力された画像データをメモリ制御ブロック２２とＤ／Ａ変換器２６を経由して画像表示部２８に出力する。
【００８２】
シャッタースイッチＳＷ１  ６２が押されていないならば（Ｓ１１９）、Ｓ１０３に戻る。
【００８３】
シャッタースイッチＳＷ１  ６２が押されたならば（Ｓ１１９）、システム制御回路５０はシステム制御回路５０の内部メモリ或いはメモリ５２に記憶される画像表示フラグの状態を判断し（Ｓ１２０）、画像表示フラグが設定されていたならば画像表示部２８の表示状態をフリーズ表示状態に設定して（Ｓ１２１）、Ｓ１２２に進む。
【００８４】
フリーズ表示状態に於いては、撮像素子１４、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダに表示している。
【００８５】
画像表示フラグが解除されていたならば（Ｓ１２０）、Ｓ１２２に進む。システム制御回路５０は、測距処理を行って撮影レンズ１０の焦点を被写体に合わせ、測光処理を行って絞り値及びシャッター時間を決定する（Ｓ１２２）。測光処理に於いて、必要であればフラッシュの設定も行う。
【００８６】
以下に測距・測光処理Ｓ１２２の詳細について述する。
【００８７】
図５は、図３のＳ１２２における測距・測光処理の詳細なフローチャートを示す。
【００８８】
システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【００８９】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【００９０】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【００９１】
ＡＥ制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【００９２】
フラッシュを発光しない場合（Ｓ２０４）、現在の設定値における露出（ＡＥ）が不適切であることからＡＥ警告を行う（Ｓ２１０）。
【００９３】
以下に図８を用いてＡＥ警告について示す。ＡＥ警告（Ｓ８００）は、まず撮影モードを参照し、撮影モードに応じて、後述する絞り設定値警告（Ｓ８０２）、シャッター速度警告（Ｓ８０３）、感度設定警告（Ｓ８０８）、露出補正値警告（Ｓ８０５）を行う。
【００９４】
撮影モードが絞りおよびシャッター速度を利用者が設定するマニュアルモードである場合（Ｓ８０１）、現在の設定されている絞り値に対する警告（Ｓ８０２）、シャッター速度に対する警告（Ｓ８０３）、感度設定に対する警告（Ｓ８０８）を行う。
【００９５】
撮影モードが絞り優先の場合（Ｓ８０４）、絞り値警告（Ｓ８０２）、露出補正値警告（Ｓ８０５）、感度設定値警告（Ｓ８０８）を行う。
【００９６】
撮影モードがシャッター優先の場合（Ｓ８０６）、シャッター速度警告（Ｓ８０３）、露出補正値警告（Ｓ８０５）、感度設定警告（Ｓ８０８）を行う。
【００９７】
撮影モードがプログラムＡＥモードの場合（Ｓ８０７）、露出補正値警告（Ｓ８０５）、感度設定値警告（Ｓ８０８）を行う。
【００９８】
露出（ＡＥ）が適正と判断したならば（Ｓ２０２）、測定データ及び或いは設定パラメータをシステム制御回路５０の内部メモリ或いはメモリ５２に記憶する。
【００９９】
画像処理回路２０での演算結果及びＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【０１００】
このときホワイトバランスが不適の場合ＡＷＢ警告を行う（Ｓ２１２）。
【０１０１】
図１０はＡＷＢ警告のフローを示す。
【０１０２】
ホワイトバランス（ＡＷＢ）が適正と判断したならば（Ｓ２０６）、測定データ及び或いは設定パラメータをシステム制御回路５０の内部メモリ或いはメモリ５２に記憶する。
【０１０３】
ＡＥ制御及びＡＷＢ制御で得られた測定データを用いて、システム制御回路５０は測距（ＡＦ）が合焦と判断されるまで（Ｓ２０８）、測距制御手段４２を用いてＡＦ制御を行う（Ｓ２０９）。
【０１０４】
ここで、測距結果がＮＧの場合測距（ＡＦ）警告Ｓ２１３を行う。本警告処理を図９を用いて説明する。
【０１０５】
測距警告（Ｓ９００）は、現在の測距モードがＡＦ（オートフォーカスモード）の場合（Ｓ９０１）、マクロ（至近のみのＡＦ）モードか否かの判定を行い（Ｓ９０５）、マクロモードである場合は後述するマクロ警告（Ｓ９０３）を行って終了する。マクロモードでない場合はそのまま終了する（Ｓ９０４）。
【０１０６】
現在の測距モードがＡＦでないつまりＭＦ（マニュアルフォーカスモード）の場合、後述するＭＦモード警告（Ｓ９０２）を行い終了する。
【０１０７】
測距（ＡＦ）が合焦と判断したならば（Ｓ２０８）、測定データ及び或いは設定パラメータをシステム制御回路５０の内部メモリ或いはメモリ５２に記憶し、測距・測光処理ルーチンＳ１２２を終了する。
【０１０８】
このように本発明によれば、設定されたブラケット撮影枚数を示すアイコンの表示において、前記設定済みの連続撮影枚数に応じてアイコンの表示サイズを変化させることにより決められたエリアの中で正しく撮影枚数を表示することが可能となる。具体的には表示エリアのサイズと表示したいアイコンの数からアイコンサイズを算出し表示する。
【０１０９】
また表示用アイコンはベクタ情報として保持し、ずれ量から算出される表示サイズに応じたビットマップ描画を行うことにより複数種類のアイコンデータを持たずに本機能を実現できる。
【０１１０】
以上、図１から図１０を用いて本発明の実施例の説明を行った。
【図面の簡単な説明】
【０１１１】
【図１】本発明の一実施例の構成ブロック図である。
【図２】本実施例の主ルーチンのフローチャートの一部である。。
【図３】本実施例の主ルーチンのフローチャートの一部である。
【図４】本実施例のラスタライズ処理のフローチャートである。
【図５】本実施例の測距・測光ルーチンのフローチャートである。
【図６】本実施例のブラケット撮影表示のフローチャートである。
【図７】本実施例のブラケット撮影表示の画面構成例である。
【図８】本実施例の測光警告表示のフローチャートである。
【図９】本実施例の測距警告表示のフローチャートである。
【図１０】本実施例のホワイトバランス警告表示のフローチャートである。
【符号の説明】
【０１１２】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
【図１】
2006135392.tif 000003
【図２】
2006135392.tif 000004
【図３】
2006135392.tif 000005
【図４】
2006135392.tif 000006
【図５】
2006135392.tif 000007
【図６】
2006135392.tif 000008
【図７】
2006135392.tif 000009
【図８】
2006135392.tif 000010
【図９】
2006135392.tif 000011
【図１０】
2006135392.tif 000012